(57)【要約】【課題】耕耘ロータのサポートフレーム側の軸受部のオイル量を容易に確認が可能で、給油作業も容易に行え、軸受部の潤滑オイル量を十分に確保できるロータリ耕耘装置を提供する。【解決手段】サポートフレーム３の下端部の軸受部７の潤滑用オイル貯留部である第１オイル貯留部７４と、該第１オイル貯留部７４とは別に第２オイル貯留部７５を設け、第１オイル貯留部７４と第２オイル貯留部７５とはパイプ材７６により連通されていて、第２オイル貯留部７４はオイル供給口７５１が設けられているとともに、オイル量を確認可能であるロータリ耕耘装置による。【選択図】      図３
2015070817.tif 000002
【特許請求の範囲】
【請求項１】
伝動ケースの下端部とサポートフレームの下端部との間に、耕耘爪を放射状に所定間隔で装着した耕耘ロータを軸支したロータリ耕耘装置において、
前記サポートフレームの下端部の軸受部の潤滑用オイル貯留部である第１オイル貯留部と、該第１オイル貯留部とは別に第２オイル貯留部を設け、第１オイル貯留部と第２オイル貯留部とはパイプ材により連通されていて、第２オイル貯留部はオイル供給口が設けられているとともに、オイル量を確認可能であることを特徴としたロータリ耕耘装置。
【請求項２】
第２オイル貯留部は、外部よりオイル量が確認可能である透明または半透明な部材で構成されていることを特徴とした請求項１記載のロータリ耕耘装置。
【請求項３】
第２オイル貯留部は、軸受部の潤滑用オイル貯留部より上方のサポートフレームの内側に設けられていることを特徴とした請求項１又は請求項２記載のロータリ耕耘装置。
【発明の詳細な説明】
【技術分野】
【０００１】
本発明は、トラクタに装着されて使用される農作業機であり、複数の耕耘爪を設けた耕耘ロータを回転させ耕耘するロータリ耕耘装置に関する。詳細には、ロータ部の軸受部の給油に関するものである。
【背景技術】
【０００２】
従来、ロータリ耕耘装置の左右方向の複数の耕耘爪を設けた耕耘ロータは、一端を耕耘ロータを駆動するためのスプロケットやチェーン等が収容された伝動ケースの軸受部で保持して、他端をサポートフレームの軸受部で保持されたロータリ耕耘装置の軸受部等の給油に関し、オイル貯留部に透明部材を設け、オイル状態を容易に確認できる農作業機として、特許第４２６８５６６号公報が公知となっている。
【先行技術文献】
【特許文献】
【０００３】
【特許文献１】特許第４２６８５６６号公報
【発明の概要】
【発明が解決しようとする課題】
【０００４】
従来のロータリ耕耘装置の耕耘ロータの軸受部は、動力が伝達される伝動ケース側は伝動ケース内の潤滑オイルにより十分に潤滑が行われているが、他方のサポートフレーム側は軸受部のスペースを大きくすると耕耘部より外側に突出する部分が大きくなり、突出部の寸法分残耕が残ることになり、スペースを大きくできなく、潤滑オイルの貯留スペースも十分とは言えない状態であった。また、軸受部は耕耘ロータに近接しているため、外部との衝突や接触が頻繁に起きるため、剛性や耐摩耗性を考慮した構成としなければならないため、給油口等が小さく給油や点検が行い難い問題や、ガード等を外さなければ点検や給油ができないことから点検給油時期を看過することが多く、故障等の原因となることがあった。
【０００５】
特許文献１の農作業機の場合、ガードをオイル貯留部から取り外すと、透明部材が露出してオイルの点検ができるが、ガードを取り外す煩わしさの問題や貯留オイル量を十分確保できた構造とする問題の解決には至っていない。
【０００６】
このことから本発明の目的は、耕耘ロータのサポートフレーム側の軸受部のオイル量を容易に確認が可能で、給油作業も容易に行え、軸受部の潤滑オイル量を十分に確保できるロータリ耕耘装置を提供することを目的とする。
【課題を解決するための手段】
【０００７】
上記課題を解決するために、伝動ケースの下端部とサポートフレームの下端部との間に、耕耘爪を放射状に所定間隔で装着した耕耘ロータを軸支したロータリ耕耘装置において、前記サポートフレームの下端部の軸受部の潤滑用オイル貯留部である第１オイル貯留部と、該第１オイル貯留部とは別に第２オイル貯留部を設け、第１オイル貯留部と第２オイル貯留部とはパイプ材により連通されていて、第２オイル貯留部はオイル供給口が設けられているとともに、オイル量を確認可能であることを特徴としたロータリ耕耘装置を提案する。
【０００８】
また、第２オイル貯留部は、外部よりオイル量が確認可能である透明または半透明な部材で構成されていることを特徴とした０００７欄記載のロータリ耕耘装置を提案する。
【０００９】
さらに、第２オイル貯留部は、軸受部の潤滑用オイル貯留部より上方のサポートフレームの内側に設けられていることを特徴とした０００７欄又は０００８欄記載のロータリ耕耘装置を提案する。
【発明の効果】
【００１０】
この発明によれば、軸受部の第１オイル貯留部と、第１オイル貯留部とは別に第２オイル貯留部を設けパイプ材により連通した構造により、第１オイル貯留部のオイル量に加え第２オイル貯留部のオイルを潤滑オイルとして機能させることができ、第１オイル貯留部のスペースを変更せずに潤滑オイル量を十分に確保することができる。また、第１オイル貯留部から離れたスペースの制約のないところに第２オイル貯留部を設けることが可能であるため、オイル供給口を十分に確保可能であり、給油が容易に行える構造とすることができる。
【００１１】
また、第２オイル貯留部は、外部よりオイル量が確認可能である透明または半透明な部材で構成されていると、ガード等を外すことをせずに容易にオイル量が点検可能である。
【００１２】
さらに、第２オイル貯留部は、軸受部の潤滑用オイル貯留部より上方に設けられていることにより、オイルが自然落下供給するとともに、熱等により軸受部の内圧が上昇した場合でも第２オイル貯留部側に逆流され、内圧が上昇せずにオイル漏れ等が阻止される。また、サポートフレームより内側に第２オイル貯留部が位置することにより、外部との衝突や接触が回避できるため、剛性のあるもので構成する必要がないため安価に制作可能である。
【図面の簡単な説明】
【００１３】
【図１】本発明の実施例のロータリ耕耘装置の右後方からの斜視図である。
【図２】本発明の実施例のロータリ耕耘装置の右側面図である。
【図３】本発明の実施例の耕耘ロータのサポートフレーム側の軸受部の断面図である。
【図４】本発明の実施例の耕耘ロータの要部の縦断面図である。
【図５】本発明の別実施例のロータリ耕耘装置の右側面図である。
【発明を実施するための形態】
【００１４】
実施の一形態を、図示例に基づいて説明する。図１は本発明の実施例のロータリ耕耘装置の右後方からの全体斜視図、図２は同じく本発明の実施例のロータリ耕耘装置の右側面図、図３は本発明の実施例の耕耘ロータのサポートフレーム側の軸受部の断面図、図４は本発明の実施例の耕耘ロータの要部の縦断面図、図５は本発明の別実施例のロータリ耕耘装置の右側面図である。走行作業車両であるトラクタ（図示せず）の後部には昇降リンクである３点リンク機構が設けられていて、ロータリ耕耘装置の前方部の装着部８に連結され、ロータリ耕耘装置Ａは昇降自在に連結されるとともに、トラクタ側から出力される動力によって駆動される。
【００１５】
装着部８は、ロータリ耕耘装置Ａの前方中央部に設けてあり、上部中央のトップリンクピン８１とその下方左右に位置する一対のロアリンクピン８０により構成されていて、トラクタ側の３点リンク機構（図示せず）のトップリンクとロアリンクにそれぞれ連結されトラクタに装着される。
【００１６】
前方装着部８の中央には、入力ケース１が設けられ、前方に向け入力軸１０が突設されている。入力軸１０は、トラクタの出力軸とユニバーサルジョイント等で連結されトラクタ側の動力が入力される。
【００１７】
入力ケース１から左右側方にそれぞれ一体的に突出して丸パイプで構成されたパイプフレーム２が設けられ、左右一方側（図１においては左側）のパイプフレーム２の突出端部から下方に向かって延設された上下方向の伝動ケース５と、左右他方側のパイプフレーム２の突出端部から下方に向かって延設された上下方向のサポートフレーム３とによってフレーム部を構成していて、左右方向のロータ軸６０を回転自在に、伝動ケース５下端部とサポートフレーム３の下端部との間に架設支持している。
【００１８】
ロータ軸６０には、放射状に一定間隔を設けて耕耘爪６１が多数取り付けられ、耕耘ロータ６を構成している。耕耘ロータ６上方部はロータカバー６２により覆われていて、後方部はロータカバー６２の後端部に前方端部を上下方向回動自在に連結された整地板４が位置し、耕耘ロータ６により耕耘された土壌の飛散を受け止めるとともに整地板４後方部によって整地が行われる。
【００１９】
入力ケース１の入力軸１０から入力された動力は、入力ケース１に内装されるギヤによって減速され、左右一方側の側方に突設したパイプフレーム２（図１においては左側）内を通る出力軸１１により伝動ケース５内に伝達される。伝動ケース５内の出力軸１１端部には出力スプロケット５０が固着され、伝動ケース５下端部に支持されたロータ軸６０の端部にはロータ軸スプロケット５２が固着されていて、この間に巻着されたローラチェーン５１により動力が伝達されロータ軸６０が回転駆動される。
【００２０】
伝動ケース５のロータ軸６０の支持部は、ベアリングにより回転自在に支持されていて、伝動ケース５内に貯留された潤滑オイルにより潤滑されている。伝動ケース５の上部にはオイル給油口（図示せず）が設けられ、給油された潤滑オイルによりローラチェーン５１やベアリングが潤滑される。
【００２１】
ロータ軸６０のサポートフレーム３側の支持部は、図３に示すようにサポートフレーム３にボルトおよびナット等で取り付けられたベアリングリテーナ７７を介してサポートフレーム３に保持されたベアリング７０により回転自在に支持されていて、ベアリング７０のロータ軸６０側にはシール材７１が設けられ、ベアリング７０の外側には皿状のキャップ７２が取り付けられ、シール材７１とキャップ７２の間にベアリング７０の潤滑用のオイルが貯留できるように密閉された空間部を設け第１オイル貯留部７４を形成している。キャップ７２のさらに外側には、耕耘作業時の外部との衝突や接触から軸受部７を保護するガード７３がボルトおよびナット等でキャップ７２部を覆うように着脱可能に取り付けられている。
【００２２】
ベアリングリテーナ７７の上部には、第１オイル貯留部７４と連通して設けられた接続パイプ７７が上方を向いてガード７３の外側に突設して取り付けられている。一方サポートフレーム３の上方部内側には、第２オイル貯留部７５が取り付けられていて、第２オイル貯留部７５と前記接続パイプ７７とをパイプ材７６により連通して連結している。サポートフレーム３の上方部には、外側と内側を貫通した穴部が設けられパイプ材７６が挿通されサポートフレーム３の外側の第１オイル貯留部７４と内側の第２オイル貯留部７５とが連結される。パイプ材７６のサポートフレーム３の外側に位置する部分はサポートフレーム３に設けたガード部材３０により外部との当接や接触から保護されている。
【００２３】
第２オイル貯留部７５は、潤滑オイルを貯留可能なタンク７５０とその上方部の解放部を開閉可能な蓋体が設けられたオイル供給口７５１とで構成されていて、タンク７５０の側方を保持されサポートフレーム３の内側に取り付けられている。タンク７５０の底部は下方に突設し内部と連通したパイプ状となっていて、前記パイプ材７６が差し込まれ連結される。
【００２４】
タンク７５０に注入された潤滑オイルは、タンク７５０と第１オイル貯留部７４とを連通するパイプ材７６内を自然落下して下方の第１オイル貯留部７４に達する。そして、第１オイル貯留部７４とパイプ材７６内が充満されると、第２オイル貯留部７５のタンク７５０内に潤滑オイルが貯留される状態となる。このため、第１オイル貯留部７４に潤滑オイルが充満していないと、第２オイル貯留部７５のタンク７５０内に潤滑オイルが貯留されないため、タンク７５０のオイル量を点検することにより、軸受部７（第１オイル貯留部７４）のオイル量の有無を確認できる。オイル注入の際は、第１オイル貯留部７４側に空気抜き用のプラグを設けておき、空気を抜きながら注入するとスムーズに注入が行える。
【００２５】
点検はオイル供給口７５１から目視でも確認可能であるが、レベルゲージ等を用いてもよい。透明又は半透明の部材により形成されたタンク７５０を使用すると、外部から目視することで軸受部７（第１オイル貯留部７４）のオイルの有無を容易に確認可能である。パイプ材７６は、鉄、非鉄、樹脂材、ゴム材等耐油性のあるパイプ状のものであればよい。
【００２６】
また、軸受部７（第１オイル貯留部７４）から離れた場所に第２オイル貯留部７５を設置できるため、形状や大きさの制限がなく、十分な潤滑オイル量を確保可能である場所に設けることができる。本実施例においては、サポートフレーム３に第２オイル貯留部７５を取り付けているが、取り付け場所はこれに限定されることなく、サポートフレーム３の内側方向の位置に設けると外部との衝突や接触が回避しやすくなる。さらに、軸受部７の温度変化により内圧が上下しても、第２オイル貯留部７５側に通気孔等を設けることにより一定に圧を保持可能であり、軸受部７の内圧の上昇によるシール部等よりのオイル漏れ等の防止ができる。
【００２７】
図５は、本発明の別実施例のロータリ耕耘装置の側面を示したもので、ロータ軸６０の軸受部７の第１オイル貯留部７４とその上方のサポートフレーム３側面に設けた第２オイル貯留部７５ａをパイプ材７６ａで連結連通したもので、第２オイル貯留部７５ａ上方部にはオイル給油や点検を行うためのオイル供給口７５１ａが設けてある。オイルの点検はオイル給油口７５１ａから目視確認可能であるが、レベルゲージ等により行うことも可能である。このように、パイプ材により連通連結した第２オイル貯留部を設けた構成とすることにより、第２オイル貯留部をスペースの制約を受けない場所に設置可能であるため、点検や給油を容易に行え、潤滑オイル量も十分に確保できる構成の取扱い性のよいロータリ耕耘装置が提供可能となる。
【００２８】
次に、本発明のロータリ耕耘装置によって耕耘作業を行うには、走行機であるトラクタの３点リンク機構に装着部８のロアリンクピン８０及びトップリンクピン８１により連結させ、トラクタの３点リンク機構により上下に昇降可能な状態とする。また、トラクタの出力軸とユニバーサルジョイント等で入力軸１０と連結させ動力の入力が可能な状態とする。
【００２９】
耕耘圃場において、トラクタを操作して耕耘ロータ６を回転させ３点リンク機構を下降させると、耕耘ロータ６の耕耘爪６１により土壌が耕耘される。この状態でトラクタを走行させると、順次圃場を耕耘することができる。また、耕耘ロータ６の後方部には整地板４が位置していて、耕耘された土壌表層部を整地しながら作業が行われる。
【００３０】
作業時は、入力ケース１や伝動ケース５内に、潤滑オイルが所定量貯留されていて、内装されるギヤ、スプロケット、ローラチェーン等を潤滑して円滑に作動させる。オイル量の確認は、入力ケース１の場合、上部に設けた給油栓と兼用のレベルゲージ等にて確認ができる。伝動ケース５の場合、給油は上部に設けた給油栓から行い、オイル量は下方のレベル位置に設けた確認ボルトを外して確認する。
【００３１】
一方、伝動ケース５と対向して設けられ、耕耘ロータ６の一端を支持しているサポートフレーム３の軸受部７側は、軸受部７の第１オイル貯留部７４とパイプ材７６により連結連通された第２オイル貯留部７５の潤滑オイルで潤滑され円滑に駆動される。第２オイル貯留部７５は、パイプ材７６により連結されているため、配置場所は制約を受けず、本例では軸受部７側を支持しているサポートフレーム３の内側位置のトラクタ運転席より目視確認も可能である場所に取り付けられている。このため、常に作業中も工具等も必要とせずに確認が可能でオイルの補給も容易にできる。
【産業上の利用可能性】
【００３２】
この発明は、トラクタ等の走行機後方に装着されて耕耘作業を行うロータリ耕耘装置に適用できる。
【符号の説明】
【００３３】
１    入力ケース
１０  入力軸
１１  出力軸
２    パイプフレーム
３    サポートフレーム
４    整地板
５    伝動ケース
５０  出力スプロケット
５１  ローラチェーン
５２  ロータ軸スプロケット
６    耕耘ロータ
６０  ロータ軸
６１  耕耘爪
６２  ロータカバー
７    軸受部
７０  ベアリング
７１  シール材
７２  キャップ
７３  ガード
７４  第１オイル貯留部
７５  第２オイル貯留部
７５０  タンク
７５１  オイル供給口
７６  パイプ材
８    装着部
８０  ロアリンクピン
８１  トップリンクピン
【図１】
2015070817.tif 000003
【図２】
2015070817.tif 000004
【図３】
2015070817.tif 000005
【図４】
2015070817.tif 000006
【図５】
2015070817.tif 000007